【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
ユーザテレビジョン機器上に実装されている協同対話式テレビジョンアプリケーションによって対話式テレビジョンアプリケーション情報がユーザに表示されるシステムであって、前記システムは、
前記協同対話式テレビジョンアプリケーションの第１の部分が実装されている第１のユーザテレビジョン機器装置と、
前記協同対話式テレビジョンアプリケーションの第２の部分が実装されている第２のユーザテレビジョン機器装置と、
前記第１のユーザテレビジョン機器装置と前記第２のユーザテレビジョン機器装置とを接続することにより、前記二つの装置の間の通信をサポートする通信経路と
を含む、システム。
【請求項２】
前記第１および第２のユーザテレビジョン機器装置は、前記協同対話式テレビジョンアプリケーションのためのシステム機能を実行することを担当するリソースを有し、
前記システムは、前記第２のユーザテレビジョン機器装置によって実行されるシステム機能を実行することを担当する前記第１のユーザテレビジョン機器装置の前記リソースを使用禁止にする手段をさらに含む、請求項１に記載のシステム。
【請求項３】
前記第１および第２のユーザテレビジョン機器装置のそれぞれは、前記協同対話式テレビジョンアプリケーションのためのシステム機能を実行することを担当するリソースを有し、
前記システムは、前記第２のユーザテレビジョン機器装置によって実行されるシステム機能を実行することを担当するリソースなしで前記第１のユーザテレビジョン機器装置を製造する手段をさらに含む、請求項１に記載のシステム。
【請求項４】
前記ユーザテレビジョン機器装置は、前記協同対話式テレビジョンアプリケーションのためのシステム機能を実行することを担当するリソースを有し、前記システムは、前記ユーザテレビジョン機器装置の一つのリソースが、前記分割する手段によって前記ユーザテレビジョン機器装置の少なくとも他の一つに分割されたシステム機能を実行することを担当するとき、前記ユーザテレビジョン機器装置の前記一つにおける前記リソースを使用禁止にする手段をさらに含む、請求項１に記載のシステム。
【請求項５】
前記第１のユーザテレビジョン機器装置は、セットトップボックスである、請求項１に記載のシステム。
【請求項６】
前記第１のユーザテレビジョン機器装置は、ディジタルテレビジョン受信器である、請求項１に記載のシステム。
【請求項７】
前記第１のユーザテレビジョン機器装置は、テレビジョンである、請求項１に記載のシステム。
【請求項８】
前記協同対話式テレビジョンアプリケーションは、協同対話式テレビジョン番組ガイドアプリケーションである、請求項１に記載のシステム。
【請求項９】
前記協同対話式テレビジョンアプリケーションは、協同インターネットブラウザである、請求項１に記載のシステム。
【請求項１０】
前記協同対話式テレビジョンアプリケーションは、協同ホームショッピングアプリケーションである、請求項１に記載のシステム。
【請求項１１】
ユーザテレビジョン機器上に実装されている協同対話式テレビジョンアプリケーションによってテレビジョン番組アプリケーション情報がユーザに表示されるシステムであって、前記システムは、
前記協同対話式テレビジョンアプリケーションのためのシステム機能の一部を実行するようにプログラムされている第１のユーザテレビジョン機器装置と、
前記協同対話式テレビジョンアプリケーションのためのシステム機能の一部を実行するようにプログラムされている第２のユーザテレビジョン機器装置と、
前記第１のユーザテレビジョン機器装置と前記第２のユーザテレビジョン機器装置とを接続することにより、前記二つの装置の間の通信をサポートする通信経路と
を含む、システム。
【請求項１２】
前記第１および第２のユーザテレビジョン機器装置は、ユーザインタフェース制御、細流データ供給の収集、帯域内データの収集、データ格納、データ要求、表示制御、チューナ制御、二次格納の制御、インターネットアクセス、画面内画面の生成、ディジタル復号化からなるグループから選択される一つ以上のシステム機能を実行するようにプログラムされている、請求項１１に記載のシステム。
【請求項１３】
前記第１のユーザテレビジョン機器装置は、セットトップボックスである、請求項１１に記載のシステム。
【請求項１４】
前記第１のユーザテレビジョン機器装置は、ディジタルテレビジョン受信器である、請求項１１に記載のシステム。
【請求項１５】
前記第１のユーザテレビジョン機器装置は、テレビジョンである、請求項１１に記載のシステム。
【請求項１６】
前記協同対話式テレビジョンアプリケーションは、協同対話式テレビジョン番組ガイドアプリケーションである、請求項１１に記載のシステム。
【請求項１７】
前記協同対話式テレビジョンアプリケーションは、協同インターネットブラウザである、請求項１１に記載のシステム。
【請求項１８】
前記協同対話式テレビジョンアプリケーションは、協同ホームショッピングアプリケーションである、請求項１１に記載のシステム。
【請求項１９】
ユーザテレビジョン機器上に実装されている協同対話式テレビジョンアプリケーションによって対話式テレビジョンアプリケーション情報がユーザに表示されるシステムであって、前記システムは、
前記ユーザテレビジョン機器に含まれる複数のユーザテレビジョン機器装置と、
前記協同対話式テレビジョンアプリションが前記複数のユーザテレビジョン機器装置のうちの一つの上で独立して実行されるのか、前記複数のユーザテレビジョン機器装置のうちの一つよりも多くの上で協同して実行されるのかを決定する手段と、
前記決定する手段によってなされた決定に応答して、前記ユーザテレビジョン機器装置上で前記協同対話式テレビジョンアプリケーションを独立してまたは協同して実行する手段と
を含む、システム。
【請求項２０】
前記複数のユーザテレビジョン機器装置のうちの一つは、セットトップボックスである、請求項１９に記載のシステム。
【請求項２１】
前記複数のユーザテレビジョン機器装置のうちの一つは、ディジタルテレビジョン受信器である、請求項１９に記載のシステム。
【請求項２２】
前記複数のユーザテレビジョン機器装置のうちの一つは、テレビジョンである、請求項１９に記載のシステム。
【請求項２３】
前記協同対話式テレビジョンアプリケーションが実行されている前記複数のユーザテレビジョン機器装置のタイプ、各ユーザテレビジョン機器装置のケーパビリティ、前記システム内に存在する他のユーザテレビジョン機器装置のタイプからなるグループから選択される一つ以上のシステム変数を決定する手段をさらに含む、請求項１９に記載のシステム。
【請求項２４】
前記協同対話式テレビジョンアプリケーションは、協同対話式テレビジョン番組ガイドアプリケーションである、請求項１９に記載のシステム。
【請求項２５】
前記協同対話式テレビジョンアプリケーションは、協同インターネットブラウザである、請求項１９に記載のシステム。
【請求項２６】
前記協同対話式テレビジョンアプリケーションは、協同ホームショッピングアプリケーションである、請求項１９に記載のシステム。
【請求項２７】
ユーザテレビジョン機器上に実装されている協同対話式テレビジョンアプリケーションによって対話式テレビジョンアプリケーション情報がユーザに表示される方法であって、前記方法は、
第１のユーザテレビジョン機器装置を前記協同対話式テレビジョンアプリケーションの第１の部分でプログラムするステップと、
第２のユーザテレビジョン機器装置を前記協同対話式テレビジョンアプリケーションの第２の部分でプログラムするステップと、
前記第１のユーザテレビジョン機器装置と前記第２のユーザテレビジョン機器装置とを接続することにより、前記二つの装置の間の通信をサポートするステップと
を含む、方法。
【請求項２８】
前記第１および第２のユーザテレビジョン機器装置は、前記対話式テレビジョンアプリケーションのためのシステム機能を実行することを担当するリソースを有し、前記方法は、前記第２のユーザテレビジョン機器装置によって実行されるシステム機能を実行することを担当するリソースなしで前記第１のユーザテレビジョン機器装置を製造するステップをさらに含む、請求項２７に記載の方法。
【請求項２９】
前記第１および第２のユーザテレビジョン機器装置は、前記協同対話式テレビジョンアプリケーションのためのシステム機能を実行することを担当するリソースを有し、前記方法は、前記第２のユーザテレビジョン機器装置によって実行されるシステム機能を実行することを担当する前記第１のユーザテレビジョン機器装置の前記リソースを使用禁止にするステップをさらに含む、請求項２７に記載の方法。
【請求項３０】
前記第１のユーザテレビジョン機器装置を前記協同対話式テレビジョンアプリケーションの前記第１の部分でプログラムするステップは、セットトップボックスを前記協同対話式テレビジョンアプリケーションの前記第１の部分でプログラムするステップを含む、請求項２７に記載の方法。
【請求項３１】
前記第１のユーザテレビジョン機器装置を前記協同対話式テレビジョンアプリケーションの前記第１の部分でプログラムするステップは、ディジタルテレビジョン受信器を前記協同対話式テレビジョンアプリケーションの前記第１の部分でプログラムするステップを含む、請求項２７に記載の方法。
【請求項３２】
前記第１のユーザテレビジョン機器装置を前記協同対話式テレビジョンアプリケーションの前記第１の部分でプログラムするステップは、テレビジョンを前記協同対話式テレビジョンアプリケーションの前記第１の部分でプログラムするステップを含む、請求項２７に記載の方法。
【請求項３３】
前記第１のユーザテレビジョン機器装置を前記協同対話式テレビジョンアプリケーションの前記第１の部分でプログラムするステップは、前記第１のユーザテレビジョン機器装置を協同対話式テレビジョン番組ガイドアプリケーションの第１の部分でプログラムするステップを含む、請求項２７に記載の方法。
【請求項３４】
前記第１のユーザテレビジョン機器装置を前記協同対話式テレビジョンアプリケーションの前記第１の部分でプログラムするステップは、前記第１のユーザテレビジョン機器装置を協同インターネットブラウザの第１の部分でプログラムするステップを含む、請求項２７に記載の方法。
【請求項３５】
前記第１のユーザテレビジョン機器装置を前記協同対話式テレビジョンアプリケーションの前記第１の部分でプログラムするステップは、前記第１のユーザテレビジョン機器装置を協同ホームショッピングアプリケーションの第１の部分でプログラムするステップを含む、請求項２７に記載の方法。
【請求項３６】
ユーザテレビジョン機器上に実装されている協同対話式テレビジョンアプリケーションによってテレビジョンプログラム一覧データがユーザに表示される方法であって、前記方法は、
前記協同対話式テレビジョンアプリケーションのためのシステム機能の一部を実行するように第１のユーザテレビジョン機器装置をプログラムするステップと、
前記協同対話式テレビジョンアプリケーションのためのシステム機能の一部を実行するように第２のユーザテレビジョン機器装置をプログラムするステップと
を含む、方法。
【請求項３７】
ユーザインタフェース制御、細流データ供給の収集、帯域内データの収集、データ格納、データ要求、表示制御、チューナ制御、二次格納の制御、インターネットアクセス、画面内画面の生成、ディジタル復号化からなるグループから選択される一つ以上のシステム機能を実行するように前記第１および第２のユーザテレビジョン機器装置をプログラムするステップをさらに含む、請求項３６に記載の方法。
【請求項３８】
前記協同対話式テレビジョンアプリケーションのためのシステム機能の一部を実行するように前記第１のユーザテレビジョン機器装置をプログラムするステップは、前記協同対話式テレビジョンアプリケーションのためのシステム機能の一部を実行するようにセットトップボックスをプログラムするステップを含む、請求項３６に記載の方法。
【請求項３９】
前記協同対話式テレビジョンアプリケーションのためのシステム機能の一部を実行するように前記第１のユーザテレビジョン機器装置をプログラムするステップは、前記協同対話式テレビジョンアプリケーションのためのシステム機能の一部を実行するようにディジタルテレビジョン受信器をプログラムするステップを含む、請求項３６に記載の方法。
【請求項４０】
前記協同対話式テレビジョンアプリケーションのためのシステム機能の一部を実行するように前記第１のユーザテレビジョン機器装置をプログラムするステップは、前記協同対話式テレビジョンアプリケーションのためのシステム機能の一部を実行するようにテレビジョンをプログラムするステップを含む、請求項３６に記載の方法。
【請求項４１】
前記協同対話式テレビジョンアプリケーションのためのシステム機能の一部を実行するように前記第１のユーザテレビジョン機器装置をプログラムするステップは、協同対話式テレビジョン番組ガイドアプリケーションのためのシステム機能の一部を実行するように前記第１のユーザテレビジョン機器装置をプログラムするステップを含む、請求項３６に記載の方法。
【請求項４２】
前記協同対話式テレビジョンアプリケーションのためのシステム機能の一部を実行するように前記第１のユーザテレビジョン機器装置をプログラムするステップは、協同インターネットブラウザのためのシステム機能の一部を実行するように前記第１のユーザテレビジョン機器装置をプログラムするステップを含む、請求項３６に記載の方法。
【請求項４３】
前記協同対話式テレビジョンアプリケーションのためのシステム機能の一部を実行するように前記第１のユーザテレビジョン機器装置をプログラムするステップは、協同ホームショッピングアプリケーションのためのシステム機能の一部を実行するように前記第１のユーザテレビジョン機器装置をプログラムするステップを含む、請求項３６に記載の方法。
【請求項４４】
複数のユーザテレビジョン機器装置を有するユーザテレビジョン機器上に実装されている協同対話式テレビジョンアプリケーションによって対話式テレビジョンアプリケーション情報がユーザに表示される方法であって、前記方法は、
前記協同対話式テレビジョンアプリケーションが、前記複数のユーザテレビジョン機器装置のうちの一つの上で独立して実行されるのか、または、前記複数のユーザテレビジョン機器装置のうちの１つよりも多くの上で協同して実行されるのかを決定するステップと、
前記決定するステップによってなされた決定に応答して、前記ユーザテレビジョン機器装置上で前記協同対話式テレビジョンアプリケーションを独立してまたは協同して実行するステップと
を含む、方法。
【請求項４５】
前記協同対話式アプリケーションが実行されている前記複数のユーザテレビジョン機器装置のタイプ、各ユーザテレビジョン機器装置のケーパビリティ、前記システム内に存在する他のユーザテレビジョン機器装置のタイプからなるグループから選択される一つ以上のシステム変数を決定するステップをさらに含む、請求項４４に記載の方法。
【請求項４６】
前記複数のユーザテレビジョン機器装置のうちの一つは、セットトップボックスであり、前記方法は、前記セットトップボックスを前記協同対話式テレビジョンアプリケーションでプログラムするステップをさらに含む、請求項４４に記載の方法。
【請求項４７】
前記複数のユーザテレビジョン機器装置のうちの一つは、ディジタルテレビジョン受信器であり、前記方法は、前記ディジタルテレビジョン受信器を前記協同対話式テレビジョンアプリケーションでプログラムするステップをさらに含む、請求項４４に記載の方法。
【請求項４８】
前記複数のユーザテレビジョン機器装置のうちの一つは、テレビジョンであり、前記方法は、前記テレビジョンを前記協同対話式テレビジョンアプリケーションでプログラムするステップをさらに含む、請求項４４に記載の方法。
【請求項４９】
前記方法は、前記複数のユーザテレビジョン機器装置を協同対話式番組ガイドアプリケーションでプログラムするステップをさらに含む、請求項４４に記載の方法。
【請求項５０】
前記方法は、前記複数のユーザテレビジョン機器装置を協同インターネットブラウザでプログラムするステップをさらに含む、請求項４４に記載の方法。
【請求項５１】
前記方法は、前記複数のユーザテレビジョン機器装置を協同ホームショッピングアプリケーションでプログラムするステップをさらに含む、請求項４４に記載の方法。